(57)【要約】【課題】背紙を収容可能に構成する背表紙とし、当該背表紙の加工性及び外観の向上を図るファイルを提供する。【解決手段】表表紙１と、裏表紙４と、裏表紙４の背表紙取付部４ａに溶着する背表紙３とを有し、表表紙１を前記背表紙３を挿入可能な袋体状のものにして背表紙３の幅を調整可能にし、前記背表紙３を、一枚のシートを所定の折り目Ｌ４に沿って二つ折りにして外壁部３１及び内壁部３２からなる二重壁構造にするとともに、上方に形成した開口３ｙを利用して外壁部３１と内壁部３２の間に挿入し得る背紙８を、両壁部３１、３２の間に収容可能に構成した。【選択図】図８
2004066693.tif 000002
【特許請求の範囲】
【請求項１】
表表紙と、裏表紙と、表表紙又は裏表紙の少なくとも一方に接着する背表紙とを有し、表表紙又は裏表紙の他方を前記背表紙を挿入可能な袋体状のものにして背表紙の幅を調整可能にしているものであって、
前記背表紙を、一枚のシートを所定の折り目に沿って二つ折りにして外壁部及び内壁部からなる二重壁構造にするとともに、一部に形成した開口を利用して外壁部と内壁部の間に挿入し得る背紙を、両壁部の間に収容可能に構成していることを特徴とするファイル。
【請求項２】
前記折り目を、前記シートの巾方向に形成していることを特徴とする請求項１記載のファイル。
【請求項３】
前記折り目の一部に切り込みを形成していることを特徴とする請求項２記載のファイル。
【請求項４】
前記背表紙の左右何れか一方の側端部において外壁部及び内壁部を表表紙又は裏表紙に接着するとともに、他方の側端部から所定距離離間した位置において外壁部と内壁部とを接着したものであることを特徴とする請求項１、２又は３記載のファイル。
【請求項５】
前記背表紙の左右何れか一方の側端部において外壁部及び内壁部を表表紙又は裏表紙に接着するとともに、他方の側端部から所定距離離間した位置において外壁部又は内壁部に背紙の一方の側端部を保持し得る切り起こし部を設け、当該他方の側端部側の外壁部と内壁部とを相互に拘束しないように構成していることを特徴とする請求項１、２又は３記載のファイル。
【請求項６】
前記切り起こし部を、高さ方向に所定距離離間した位置に対をなして形成していることを特徴とする請求項５記載のファイル。
【請求項７】
前記外壁部の巾寸法を、前記内壁部の巾寸法より若干大きく設定するとともに、前記シートを二つ折りにした状態において両壁部の側端部を略同一線上に揃えていることを特徴とする請求項１、２、３、４、５又は６記載のファイル。
【請求項８】
前記外壁部の高さ寸法を、前記内壁部の高さ寸法より若干大きく設定していることを特徴とする請求項１、２、３、４、５、６又は７記載のファイル。
【請求項９】
前記折り目を、前記シートの高さ方向に形成するとともに、前記外壁部及び前記内壁部の下端部の少なくとも一部を接着していることを特徴とする請求項１、４、５、６、７又は８記載のファイル。
【請求項１０】
背表紙の側端部に、背表紙を挿入可能な袋体状に構成した表表紙又は裏表紙から引き出した所定位置において当該表紙の一部と係留する係留部を設けていることを特徴とする請求項１、２、３、４、５、６、７、８又は９記載のファイル。
【請求項１１】
前記係留部が背表紙の側端部を折り曲げて形成したものであることを特徴とする請求項１０記載のファイル。
【請求項１２】
前記シートを透明又は半透明の合成樹脂素材により構成していることを特徴とする請求項１、２、３、４、５、６、７、８、９、１０又は１１記載のファイル。
【発明の詳細な説明】
【０００１】
【発明の属する技術分野】
本発明は、背紙を収容可能に構成した背表紙を有するファイルに関するものである。
【０００２】
【従来の技術】
紙葉類を差し替え可能に挟み込むファイルにおいて、挟み込む紙葉類の量に応じて背表紙の幅が可変であるファイルが考えられている。
【０００３】
この種のファイルは、従来、表表紙、裏表紙、及び背表紙の全てを紙により構成していて、表表紙又は裏表紙の一方を袋体状に構成して背表紙を挿入可能にしているとともに、表表紙又は裏表紙の他方と背表紙とを一枚の紙により形成し、背表紙には多数の折り罫を設けて背表紙の幅を調節を容易に行えるようにしている。
【０００４】
【発明が解決しようとする課題】
ところが、このように背表紙を一枚の紙により構成した場合、差し込んだ紙葉類の内容を表示する見出し等の背紙を背表紙に収容することができない。そのため、背表紙に見出しを付したい場合には、背表紙にペン等で直接記入するか、シール等を貼付する等しなければない。また、このようなものは簡単に書き換えや貼り直しを行うことができないため、いまひとつ不便なものである。また、ファイルの使用に伴って字が薄くなったりシールが剥がれたりする等の問題が生じる。そこで、背表紙を二枚の紙等を貼り合わせてポケット状に構成して当該ポケットにラベル等を収容する改良案も考えられるが、このような構成であれば、二枚の紙を貼り合わせる際に位置ずれが生じやすく、加工性に劣り、生産性も向上しないという不具合を招く。
【０００５】
さらに、背表紙に前記折り罫を多数設けた場合、このようなファイルを書棚などに収納した場合に当該折り罫が外部に露出して外観を損なうものとなる。また、紙葉類の差し替えや挟み込む紙葉類の量の変化を頻繁に行う場合、背表紙を表表紙又は裏表紙から頻繁に出し入れすることになり、また一度折り曲げた折り罫の箇所を伸ばしたりあるいは再び折り曲げたりするようなことが起こり、背表紙の劣化を早め、見栄えがさらに悪くなるとともに耐久性も低下するという不具合が生じる。
【０００６】
本発明は以上に述べた課題を解決すべく、背紙を収容可能に構成する背表紙とし、当該背表紙の加工性及び外観の向上を図るファイルを提供するものである。
【０００７】
【課題を解決するための手段】
すなわち、本発明のファイルは、表表紙と、裏表紙と、表表紙又は裏表紙の少なくとも一方に接着する背表紙とを有し、表表紙又は裏表紙の他方を前記背表紙を挿入可能な袋体状のものにして背表紙の幅を調整可能にしているものであって、前記背表紙を、一枚のシートを所定の折り目に沿って二つ折りにして外壁部及び内壁部からなる二重壁構造にするとともに、一部に形成した開口を利用して外壁部と内壁部の間に挿入し得る背紙を、両壁部の間に収容可能に構成していることを特徴とする。
【０００８】
このようなものであれば、背紙を背表紙に収容することができるとともに、収容するための空間を形成する作業が一枚のシートを二つ折りするだけでよいため、改良案と比べて位置ずれが生じにくく加工性を格段に向上することができる。加えて、一枚のシートから簡単に成形することができるため、効率よく生産することができ、コストの削減にも資する。
【０００９】
また、前記折り目を、前記シートの巾方向に形成すれば、当該折り目が背紙の下端部を保持する役割を果たし、極めて簡素な構成によって背紙が背表紙の下方から抜け落ちることを確実に防ぐことができ、適切な収容状態を確保することができる。
【００１０】
さらに、前記背表紙の折り目の一部に切り込みを形成すれば、上記と同様に背紙を折り目によって保持することができるとともに、内壁部と外壁部の相対変位が一部において許容されるため、ファイルを閉じる操作に伴って内壁部と外壁部との巾方向の距離が相違し両壁部が干渉し合うことにより生じ得る折り目の撓みを効果的に減少させることができる。
【００１１】
また、前記背表紙の左右何れか一方の側端部において外壁部及び内壁部を表表紙又は裏表紙に接着するとともに、他方の側端部から所定距離離間した位置において外壁部と内壁部とを接着したものであれば、背表紙の少なくとも両側端部が接着されるため、接着した部位の巾方向の範囲内で背紙を適切に収容することができ、背紙が背表紙の側方から抜けることを確実に防止することができる。
【００１２】
また、前記背表紙の左右何れか一方の側端部において外壁部及び内壁部を表表紙又は裏表紙に接着するとともに、他方の側端部から所定距離離間した位置において外壁部又は内壁部に、背紙の一方の側端部を保持し得る切り起こし部を設け、当該他方の側端部側の外壁部と内壁部とを相互に拘束しないように構成しているものであれば、接着した部位と切り起こし部によって背紙を適切に収容することができ、背紙が背表紙の側方から抜出することを簡素な構造によって回避することが可能となる。加えて、背表紙の他方の側端部側の外壁部及び内壁部とを接着しないため、背表紙の両側端部を接着した場合に生じる不具合、すなわち、前記同様ファイルの閉止操作に伴って内壁部と外壁部との巾方向の距離が相違し両壁部が干渉し合って背表紙が撓むという不具合を有効に解消することができる。
【００１３】
上記の構成において、背紙の安定した収容状態を実現するためには、前記切り起こし部を、高さ方向に所定距離離間した位置に対をなして形成すればよい。
【００１４】
また、前記外壁部の巾寸法を、前記内壁部の巾寸法より若干大きく設定するとともに、前記シートを二つ折りにした状態において両壁部の側端部を略同一線上に揃えているものであれば、内壁部と比較して外壁部が巾方向にあそびを有するため、ファイルの閉止操作に伴って生じる外壁部と内壁部との不要な干渉を回避することができ、両壁部を同じ巾寸法に設定している場合にファイルの閉止操作に伴って生じ得る撓みを有効に解消することが可能となる。
【００１５】
また、前記外壁部の高さ寸法を、前記内壁部の高さ寸法より若干大きく設定しているものであれば、背表紙の上方に形成した開口近傍に高さ方向に段差が生じるため、背紙の出し入れの操作を簡単に行うことができ、使い勝手に優れたものとなる。
【００１６】
一方、前記折り目を、前記シートの高さ方向に形成するとともに、前記外壁部及び前記内壁部の下端部の少なくとも一部を接着しているものであっても、前記と同様に両壁部の間に背紙を収容することができる。この場合、接着した部位によって、背紙の下方への落下を防止することができる。
【００１７】
さらに、背表紙が袋体状に構成した表表紙又は裏表紙から不意に外れないようにするためには、背表紙の側端部に、背表紙を挿入可能な袋体状に構成した表表紙又は裏表紙から引き出した所定位置において当該表紙の一部と係留する係留部を設ければよい。
【００１８】
特に、簡素な構造によって上記の効果を得るものとしては、前記係留部が背表紙の側端部を折り曲げて形成したものが挙げられる。
【００１９】
具体的には、前記シートを透明又は半透明の合成樹脂素材により構成しているものが好ましい。このようなものであれば、紙により形成した従来のものと比較して、背表紙の耐久性の向上を図ることができるようになると同時に、背表紙に折り罫を設ける必要がなくなり外観の向上を図ることもできるようになる。
【００２０】
【発明の実施の形態】
以下、本発明の一実施形態について、図面を参照して説明する。
【００２１】
本実施形態に係るファイルＦは、図１及び図２に示すように、表表紙１と、表表紙１の一端に設けた細長い板状をなす押さえ板部２と、背表紙３と、裏表紙４と、裏表紙４の一端に設けた細長い板状をなす基板部５と、綴じ足６と、前記基板部５の長手方向に延びる形状をなし前記綴じ足６を挿通させて係止するように構成した綴じ足係止部７とを具備する。
【００２２】
綴じ足６は、図１に示すように基端部６２から綴じ足本体６１を延ばして形成している。また、図１に示すように、基板部５には、綴じ足６を挿通させ、また係止するように取付孔５ａを１対設けていて、この取付孔５ａから綴じ足本体６１を表表紙１に向けて挿し通すようにしている。
【００２３】
綴じ足係止部７は、図１及び図２に示すように、前記押さえ板部２に設けられていて、前記綴じ足６を図示しない係止つまみを用いて固定する機能を有する。また、前記押さえ板部２には、前記綴じ足６を挿通させるための綴じ足挿通孔２ａを設けてあり、さらに前記綴じ足係止部７にはこの綴じ足挿通孔２ａに重合させて図示しない綴じ足挿通孔を設けている。なお、この綴じ足係止部７は、紙葉類を差し替え可能に挟みこむように構成したこの種のファイルに用いられる綴じ具の綴じ足係止部として周知のものと同様の構成を有する。
【００２４】
そして、本実施形態において、前記表表紙１、前記押さえ板部２、前記背表紙３、前記裏表紙４、及び前記基板部５は全て合成樹脂素材のシート（以下、「合成樹脂シート」と称す）により形成しているとともに、背表紙３に予め折り罫を設けることなくその有効幅を可変に構成している。
【００２５】
具体的には、表表紙１は、図３に示す外面材１１と図４に示す内面材１２とにより袋体状に形成していて、図２に示すように、外面材１１と内面材１２との間の空間を前記背表紙３を挿入可能に構成した背表紙挿入口１ａとしている。前記外面材１１は、その上縁部、下縁部、及び背表紙と反対側の縁部に図３中の斜線部で示す折込取付部１１ａを設けていて、この折込取付部１１ａを折り線Ｌ１で内方に折り込んで図４の斜線部に示す内面材１２の外面材取り付け部１２ａに重合させ、この内面材１２に溶着するように構成している。本実施形態では、この外面材１１は厚さ寸法０．４ｍｍの合成樹脂シートにより形成している。一方、前記内面材１２は、厚さ寸法０．８ｍｍの合成樹脂シートにより形成し、前記外面材よりも厚さ寸法を大きくしているとともに、背表紙３側の端縁を折り線Ｌ３で折り込んで前記押さえ板部２を形成している。このように構成した表表紙の斜視図を図５に示す。
【００２６】
一方、裏表紙４は、図６に示す厚さ寸法１．０ｍｍの１枚の合成樹脂シートにより形成している。また、背表紙３側の端縁を折り線Ｌ６で折り込んで基板部５を形成している。そして、この裏表紙４の基板部５との境界付近に背表紙取付部４ａを設け、この背表紙取付部４ａに前記背表紙３を溶着している。なお、この裏表紙４の厚さ寸法１．０ｍｍは、前記表表紙１の外面材１１の厚さ寸法０．４ｍｍ及び内面材１２の厚さ寸法０．８ｍｍのいずれよりも大きく、これら外面材１１及び内面材１２の厚さ寸法の合計１．２ｍｍよりは小さい。
【００２７】
しかして本実施形態において、前記背表紙３は、図７に示す厚さ寸法０．２ｍｍの１枚の透明の合成樹脂シートにより形成している。具体的には、当該シートの上下略中央位置に巾方向に形成した折り目Ｌ４に沿って二つに折りにして外壁部３１及び内壁部３２からなる二重壁構造にし、折り目Ｌ４の反対側の端縁に形成した開口３ｙを利用して外壁部３１と内壁部３２の間に挿入し得る背紙８を、両壁部３１、３２の間に収容可能に構成しているものである。そして、図８及び図９に示すように、折り目Ｌ４に沿って二つ折りにした状態で、一方の側端部に設けた取付部３ａを前記裏表紙４の背表紙取付部４ａに溶着し、他方の側端部を折り線Ｌ５で折り返して本発明の係留部たるストッパ３ｂを設けている（図７において、二点鎖線は同図正面からみて谷折り線、三点鎖線は同山折り線、斜線は溶着部位を表す。後述する図１０、図１２、図１５も同様）。このストッパ部３ｂは前記表表紙１の外面材１１の端縁を図３の折り線Ｌ２で折り返して設けた背表紙ストッパ１１ｂと係合して、この背表紙３が外れないようにしている。また、折り線Ｌ５から所定距離だけ前記取付部３ａ側に変位した箇所の両壁部３１、３２を溶着して前記背紙８の位置決め機能を有する背紙位置決め部３ｃを設けている。なお、本実施形態では、この背表紙３の表表紙１への出し入れをスムーズに行うようにすべく、表面にエンボス加工を施している。
【００２８】
このように構成したファイルＦは、背表紙３を表表紙１に対して出し入れし、紙葉類Ｐの量に応じて紙葉類を最も適切に挟みこめるように位置を合わせて折り曲げることにより、背表紙３の有効幅を変更するようにしている。
【００２９】
このように、本実施形態では、表表紙１と、裏表紙４と、裏表紙４の背表紙取付部４ａに溶着する背表紙３とを有し、表表紙１を前記背表紙３を挿入可能な袋体状のものにして背表紙３の幅を調整可能にし、前記背表紙３を、一枚のシートを所定の折り目Ｌ４に沿って二つ折りにして外壁部３１及び内壁部３２からなる二重壁構造にするとともに、上方に形成した開口３ｙを利用して外壁部３１と内壁部３２の間に挿入し得る背紙８を、両壁部３１、３２の間に収容可能に構成しているため、背紙８を背表紙３に容易に収容することができるとともに、収容するための空間を形成する作業が一枚のシートを二つ折りするだけでよいため、位置ずれが生じにくく加工性を向上することができる。加えて、一枚のシートから簡単に成形することができるため、効率良く生産することができる。
【００３０】
また、前記折り目Ｌ４を、前記シートの巾方向に形成しているため、当該折り目Ｌ４が背紙８の下端部を保持する部位として機能し、極めて簡素な構成によって背紙８が背表紙３の下方から抜け落ちることを確実に防ぐことができ、適切な保持状態を確保することができる。
【００３１】
また、背表紙３の一方の側端部において外壁部３１及び内壁部３２を裏表紙２の背表紙取付部４ａに溶着するとともに、他方の側端部から所定距離離間した位置において外壁部３１と内壁部３２とを溶着しているので、溶着した部位の巾方向の範囲内で背紙８を収容することができ、背紙８が背表紙３の側方から抜けることを確実に防止し、適切な収容状態を確保することができる。
【００３２】
加えて、背表紙３の側端部に、背表紙３を挿入可能な袋体状に構成した表表紙１から引き出した所定位置において当該表表紙１の背表紙ストッパ１１ｂと係留するストッパ３ａを形成しているため、背表紙３が表表紙１から不意に外れることを有効に防ぐことができる。
【００３３】
特に、ストッパ３ａが背表紙３の側端部を折り曲げて形成しているので、極めて簡素な構造によって上記の効果を得ることができる。
【００３４】
また、前記シートを透明の合成樹脂素材により構成しているため、紙から形成した従来のものと比較して、背表紙３の耐久性の向上を図ることができるようになると同時に、背表紙３に折り罫を設ける必要がなくなり見栄えの向上を図ることもできるようになる。
【００３５】
次に、本実施形態に係る背表紙３の変形例を図面を参照して説明する。なお、背表紙以外のの基本的な構成は上記実施形態に係るファイルＦとほぼ同様であるため、相違箇所のみ説明を行う。
【００３６】
背表紙３の変形例として、例えば、図１０及び図１１に示すように、前記背表紙３の折り目Ｌ４の一部に切り込みＳ１を形成したものが挙げられる。このようなものであれば、上記と同様に背紙８の下端部を折り目Ｌ４によって保持することができるとともに、内壁部３２と外壁部３１の相対変位が切り込みＳ１の部位において許容されるため、前記実施形態において、ファイルＦを閉じる操作に伴って内壁部３２と外壁部３１との巾方向の距離が相違し両壁部３２、３１が干渉し合うことにより生じ得る折り目Ｌ４の撓みを効果的に減少させることができる（図９及び図１１参照）。
【００３７】
また、図１２及び図１３に示すように、前記背表紙２の内壁部３２に、背紙８の一方の側端部を保持し得る切り起こし部３３を高さ方向に所定距離離間した位置に対をなして設けているものであっても好適に使用することができる。具体的に、切り起こし部３３は、概略コの字形状の切り込み３３ａと、当該切り込み３３ａの両端を結ぶ直線に沿って設けた折り込み可能な折り目３３ｂと、切り込み部３３ａ及び折り目３ｂに囲まれる背紙保持部３３ｃとを一体的に形成したものである。この切り起こし部３３は、折り目Ｌ４に沿って二つ折りにする前に、折り目３３ｂに沿って背紙保持部３３ｃを折り込んで形成する。そして、本変形例においては、切り起こし部３３を形成した部位において外壁部３１と内壁部３２とを溶着せず、相互に拘束しない構成を有している。このようなものであれば、背紙保持部３３ｃを利用して背紙８を保持することができるとともに、折り目３３ｂが前記背紙８の位置決め機能を有するため、前記実施形態と比較して、背表紙３の一端側の両壁部３１、３２を溶着して前記背紙位置決め部３ｃを設ける手間を省くことができる。その結果、背表紙３の両側端部を溶着した場合に生じる不具合、すなわちファイルＦを閉じる操作に伴って内壁部３２と外壁部３１との巾方向の距離が相違し両壁部３２、３１が干渉し合って撓むという不具合を有効に解消することが可能となる。さらに、切り起こし部３３を、高さ方向に所定距離離間した位置に対をなして設けているため背紙８の安定した収容状態を確保することができる。
【００３８】
また、前記折り目Ｌ４をシートの上下中央位置より若干内壁部３２側に変位した位置に巾方向に形成し、当該折り目Ｌ４に沿って二つ折りにして前記外壁部３１の高さ寸法を、前記内壁部３２の高さ寸法より若干大きく設定すれば、図１４に図示するように、当該高さ寸法の差異によって形成される背表紙３の開口３ｙの段差３ｚを利用して背紙８の出し入れの操作を簡単に行うことができ、使い勝手に優れたものとなる。
【００３９】
一方、図１５及び図１６に示す背表紙１０３を用いても構わない。具体的にこの背表紙１０３は、折り目Ｌ１０４をシートの左右中央位置より若干内壁部１０３２側に変位した位置に高さ方向に形成するとともに、当該折り目Ｌ１０４に沿って２つ折りにしてシートの両側端部を略同一線上に揃えた状態で、前記折り目Ｌ１０４から若干離間した位置に設けた取付部１０３ａを前記裏表紙４の背表紙取付部４ａに溶着し、Ｌ１０４の反対側の側端部を折り線Ｌ１０５で折り返してストッパ１０３ｂを設けているものである。また、前記実施形態と同様に、折り線Ｌ１０５から所定距離だけ前記取付部３ａ側に変位した箇所の両壁部３１、３２を溶着して前記背紙８の位置決め機能を有する背紙位置決め部１０３ｃを設けている。さらに、外壁部及び前記内壁部の下端部の一部を溶着して背表紙保持部１０３ｄを形成するとともに、上方に開口１０３ｙを設けている。本変形例においては、前記外壁部１０３１の巾寸法１０３１ｘが前記内壁部１０３２の巾寸法１０３２ｘより若干大きく形成される。その結果、内壁部１０３２と比較して外壁部１０３１が巾方向にあそびを有するため、ファイルＦの閉止操作に伴う外壁部１０３１と内壁部１０３２との不要な干渉を回避することができ、両壁部を同じ巾寸法に設定している場合にファイルＦの閉止操作に伴って生じ得る撓みを有効に解消することが可能となる。また、前記背表紙保持部１０３ｄによって、背紙８の下方への落下を防止することができる。
【００４０】
その他、上記各変形例の各構成を適宜組み合わせたものであっても構わない。
【００４１】
さらに、上述した実施形態とは逆に、裏表紙を袋体状に構成してもよい。
【００４２】
また、背表紙は完全に透明なものでなく、半透明のものであってもよい。背表紙が半透明なものであっても背紙を挿入して外部から見出しを見ることができるように構成できるからである。また、背紙を挿入する形態にこだわらないのであれば、不透明なものであってもよい。
【００４３】
さらに、袋体状に構成した表表紙及び裏表紙の一方の外面材及び外面材の厚さ寸法は任意に設定してよく、また、一枚の板状樹脂で形成する他方の厚さ寸法も任意に設定してよい。例えば、表表紙を厚さ寸法０．７５ｍｍの内面材と厚さ寸法０．３８ｍｍの外面材とを貼り合わせて形成するとともに、裏表紙を厚さ寸法０．７５ｍｍの板状樹脂により形成してもよい。この場合、前記表表紙の内面材の厚さ寸法は前記外面材の厚さ寸法よりも大きく、前記裏表紙の厚さ寸法と同じである。すなわち、表表紙の内面材の厚さ寸法と外面材の厚さ寸法との合計は前記裏表紙の厚さ寸法よりも大きく、上述したような厚さ寸法０．８ｍｍの内面材と厚さ寸法０．４ｍｍの外面材とを有する表表紙と厚さ寸法１．０ｍｍの裏表紙とを具備する実施形態と略同様の効果を得ることができる。
【００４４】
そして、背表紙を裏表紙又は表表紙に接着する際には、溶着する替わりに、接着材等を用いて接着するようにしてもよい。
【００４５】
加えて、１枚の樹脂シートを袋体状をなすように折り込んで表表紙又は裏表紙を形成するようにしてもよい。
【００４６】
その他、背表紙表面のエンボス加工を省略する等、本発明の趣旨を損ねない範囲で種々に変形してよい。
【００４７】
【発明の効果】
以上説明したように、本発明によれば、背紙を背表紙に収容することができるとともに、収容するための空間を形成する作業が一枚のシートを二つ折りするだけでよいため、位置ずれが生じにくく格段に加工性を向上することができる。加えて、一枚のシートから簡単に成形することができるため、効率よく生産することができ、コストの削減にも資する。
【図面の簡単な説明】
【図１】本発明の一実施形態に係るファイルの分解斜視図。
【図２】同実施形態に係るファイルの斜視図。
【図３】同実施形態における表表紙の外面材の展開図。
【図４】同実施形態における表表紙の内面材の展開図。
【図５】同実施形態における表表紙の斜視図。
【図６】同実施形態における裏表紙の展開図。
【図７】同実施形態における背表紙の展開図。
【図８】同実施形態に係るファイルの裏表紙に背表紙を溶着した状態を示す斜視図。
【図９】同実施形態に係るファイルの一部を省略して示す全体斜視図。
【図１０】本発明の変形例における背表紙の展開図。
【図１１】同変形例に係るファイルの一部を省略して示す全体斜視図。
【図１２】同変形例における背表紙の展開図。
【図１３】同変形例に係るファイルの一部を省略して示す全体斜視図。
【図１４】同変形例に係るファイルの一部を省略して示す全体斜視図。
【図１５】同変形例における背表紙の展開図。
【図１６】同変形例に係るファイルの一部を省略して示す全体斜視図。
【符号の説明】
１…表表紙
３、１０３…背表紙
３１、１０３…外壁部
３２、１０３２…内壁部
３３…切り起こし部
３ｂ、１０３ｂ…ストッパ（係留部）
３ｙ、１０３ｙ…開口
４…裏表紙
８…背紙
Ｆ…ファイル
Ｌ４、Ｌ１０４…折り目
Ｓ１…切り込み
【図１】
2004066693.tif 000003
【図２】
2004066693.tif 000004
【図３】
2004066693.tif 000005
【図４】
2004066693.tif 000006
【図５】
2004066693.tif 000007
【図６】
2004066693.tif 000008
【図７】
2004066693.tif 000009
【図８】
2004066693.tif 000010
【図９】
2004066693.tif 000011
【図１０】
2004066693.tif 000012
【図１１】
2004066693.tif 000013
【図１２】
2004066693.tif 000014
【図１３】
2004066693.tif 000015
【図１４】
2004066693.tif 000016
【図１５】
2004066693.tif 000017
【図１６】
2004066693.tif 000018
【手続補正書】
【提出日】平成15年8月5日(2003.8.5)
【手続補正１】
【補正対象書類名】明細書
【補正対象項目名】００３１
【補正方法】変更
【補正の内容】
【００３１】
また、背表紙３の一方の側端部において外壁部３１及び内壁部３２を裏表紙４の背表紙取付部４ａに溶着するとともに、他方の側端部から所定距離離間した位置において外壁部３１と内壁部３２とを溶着しているので、溶着した部位の巾方向の範囲内で背紙８を収容することができ、背紙８が背表紙３の側方から抜けることを確実に防止し、適切な収容状態を確保することができる。


【手続補正２】
【補正対象書類名】明細書
【補正対象項目名】００３２
【補正方法】変更
【補正の内容】
【００３２】
加えて、背表紙３の側端部に、背表紙３を挿入可能な袋体状に構成した表表紙１から引き出した所定位置において当該表表紙１の背表紙ストッパ１１ｂと係留するストッパ３ｂを形成しているため、背表紙３が表表紙１から不意に外れることを有効に防ぐことができる。


【手続補正３】
【補正対象書類名】明細書
【補正対象項目名】００３３
【補正方法】変更
【補正の内容】
【００３３】
特に、ストッパ３ｂが背表紙３の側端部を折り曲げて形成しているので、極めて簡素な構造によって上記の効果を得ることができる。


【手続補正４】
【補正対象書類名】明細書
【補正対象項目名】００３７
【補正方法】変更
【補正の内容】
【００３７】
また、図１２及び図１３に示すように、前記背表紙３の内壁部３２に、背紙８の一方の側端部を保持し得る切り起こし部３３を高さ方向に所定距離離間した位置に対をなして設けているものであっても好適に使用することができる。具体的に、切り起こし部３３は、概略コの字形状の切り込み３３ａと、当該切り込み３３ａの両端を結ぶ直線に沿って設けた折り込み可能な折り目３３ｂと、切り込み部３３ａ及び折り目３ｂに囲まれる背紙保持部３３ｃとを一体的に形成したものである。この切り起こし部３３は、折り目Ｌ４に沿って二つ折りにする前に、折り目３３ｂに沿って背紙保持部３３ｃを折り込んで形成する。そして、本変形例においては、切り起こし部３３を形成した部位において外壁部３１と内壁部３２とを溶着せず、相互に拘束しない構成を有している。このようなものであれば、背紙保持部３３ｃを利用して背紙８を保持することができるとともに、折り目３３ｂが前記背紙８の位置決め機能を有するため、前記実施形態と比較して、背表紙３の一端側の両壁部３１、３２を溶着して前記背紙位置決め部３ｃを設ける手間を省くことができる。その結果、背表紙３の両側端部を溶着した場合に生じる不具合、すなわちファイルＦを閉じる操作に伴って内壁部３２と外壁部３１との巾方向の距離が相違し両壁部３２、３１が干渉し合って撓むという不具合を有効に解消することが可能となる。さらに、切り起こし部３３を、高さ方向に所定距離離間した位置に対をなして設けているため背紙８の安定した収容状態を確保することができる。


【手続補正５】
【補正対象書類名】明細書
【補正対象項目名】００３９
【補正方法】変更
【補正の内容】
【００３９】
一方、図１５及び図１６に示す背表紙１０３を用いても構わない。具体的にこの背表紙１０３は、折り目Ｌ１０４をシートの左右中央位置より若干内壁部１０３２側に変位した位置に高さ方向に形成するとともに、当該折り目Ｌ１０４に沿って２つ折りにしてシートの両側端部を略同一線上に揃えた状態で、前記折り目Ｌ１０４から若干離間した位置に設けた取付部１０３ａを前記裏表紙４の背表紙取付部４ａに溶着し、Ｌ１０４の反対側の側端部を折り線Ｌ１０５で折り返してストッパ１０３ｂを設けているものである。また、前記実施形態と同様に、折り線Ｌ１０５から所定距離だけ前記取付部１０３ａ側に変位した箇所の両壁部３１、３２を溶着して前記背紙８の位置決め機能を有する背紙位置決め部１０３ｃを設けている。さらに、外壁部及び前記内壁部の下端部の一部を溶着して背表紙保持部１０３ｄを形成するとともに、上方に開口１０３ｙを設けている。本変形例においては、前記外壁部１０３１の巾寸法１０３１ｘが前記内壁部１０３２の巾寸法１０３２ｘより若干大きく形成される。その結果、内壁部１０３２と比較して外壁部１０３１が巾方向にあそびを有するため、ファイルＦの閉止操作に伴う外壁部１０３１と内壁部１０３２との不要な干渉を回避することができ、両壁部を同じ巾寸法に設定している場合にファイルＦの閉止操作に伴って生じ得る撓みを有効に解消することが可能となる。また、前記背表紙保持部１０３ｄによって、背紙８の下方への落下を防止することができる。